(57)【特許請求の範囲】
【請求項１】
マルチキャリア通信を行う基地局装置であって、
複数のアンテナと、
フレームを前記アンテナを介して送信する送信手段と、
前記複数のアンテナのうち送信に使用するアンテナの数に応じて、配置される同期系列の含むチップ列の一部の位相が異なるフレームを形成するフレーム形成手段と、
を具備する基地局装置。
【請求項２】
基地局装置から送信されたフレームを用いてセルサーチを行う移動局装置であって、
前記基地局装置が使用するアンテナの数に応じて、配置される同期系列が異なるフレームを受信する受信手段と、
受信した前記フレームと、前記同期系列の全候補とを順次掛け合わせて相関をとる相関手段と、
前記相関手段にて得られた相関値に基づいて、フレームタイミングおよび前記基地局装置が使用するアンテナの数を検出する検出手段と、
検出した前記フレームタイミングおよび前記アンテナの数に基づいて受信した前記フレームからパイロット信号を抽出し当該パイロット信号を用いて基地局スクランブリングコードを同定するスクランブリングコード同定手段と、
を具備する移動局装置。
【請求項３】
基地局装置から送信されたフレームを用いてセルサーチを行う移動局装置であって、
前記基地局装置が使用するアンテナの数に応じて、同期系列の配置されるサブキャリアが異なるフレームを受信する受信手段と、
受信した前記フレームの前記同期系列が配置されているサブキャリアの信号と、前記同期系列とを順次掛け合わせて相関をとる相関手段と、
前記相関手段にて得られた相関値に基づいて、フレームタイミングおよび前記基地局装置が使用するアンテナの数を検出する検出手段と、
検出した前記フレームタイミングおよび前記アンテナの数に基づいて受信した前記フレームからパイロット信号を抽出し当該パイロット信号を用いて基地局スクランブリングコードを同定するスクランブリングコード同定手段と、
を具備する移動局装置。
【請求項４】
基地局装置から送信されたフレームを用いてセルサーチを行う移動局装置であって、
前記基地局装置が使用するアンテナの数に応じて、配置される同期系列および当該同期系列が配置されるサブキャリアが異なるフレームを受信する受信手段と、
受信した前記フレームの前記同期系列が配置されているサブキャリアの信号と、前記同期系列の全候補とを順次掛け合わせて相関をとる相関手段と、
前記相関手段にて得られた相関値に基づいて、フレームタイミングおよび前記基地局装置が使用するアンテナの数を検出する検出手段と、
検出した前記フレームタイミングおよび前記アンテナの数に基づいて受信した前記フレームからパイロット信号を抽出し当該パイロット信号を用いて基地局スクランブリングコードを同定するスクランブリングコード同定手段と、
を具備する移動局装置。
【請求項５】
前記同期系列が配置されるサブキャリアと前記同期系列との対応関係を記憶する記憶手段を具備し、
前記検出手段は、前記相関手段にて得られた相関値が最大となる、前記サブキャリアと前記同期系列との組み合わせが前記対応関係を満たさないときにはセルサーチのリトライ命令信号を出力する請求項４記載の移動局装置。
【発明の詳細な説明】
【技術分野】
【０００１】
本発明は、基地局装置および移動局装置に関し、特にマルチキャリア通信を行う基地局装置および移動局装置に関する。
【背景技術】
【０００２】
ＯＦＣＤＭにおけるセルサーチ方法として、同期用チャネルＳＣＨを周波数多重した方法が提案されている（非特許文献１、２参照）。まず、従来技術のフレーム構成図を図１に示す。同図において、ＴＣＨ(Traffic Channel)は通常のデータチャネル、ＣＰＩＣＨ(Common Pilot Channel)は既知信号である共通パイロットチャネルを示している。同期用チャネルであるＳＣＨ(Synchronization Channel)は既知のユニークな信号であり、且つ、規定サブキャリアにおいて周波数多重される。
【０００３】
一方、受信側である移動局は、３段階セルサーチアルゴリズムにより、ＯＦＤＭシンボルタイミング検出、フレームタイミング検出、スクランブリングコード同定を行う。以下に各段階の詳細な動作を記載する。
【０００４】
（１）第１段階：シンボルタイミング検出
移動局は、ＯＦＤＭのガードインタバルの相関特性を利用して、ＯＦＤＭシンボルタイミング(すなわち、ＦＦＴウィンドウタイミング)を検出する（非特許文献３）。具体的には、ＯＦＤＭシンボル毎に各サンプル点においてガードインタバル相関を計算し、これを１フレームにわたって平均化した上で、最大相関値に対応するＯＦＤＭシンボルタイミングを検出する。
【０００５】
（２）第２段階：フレームタイミング検出
第１段階にて検出されたＯＦＤＭシンボルタイミングに基づいてＦＦＴ処理を行い、ＦＦＴ処理後の信号について次の処理を行う。すなわち、ＦＦＴにより分離された各サブキャリア成分のうち、ＳＣＨが送信されているサブキャリア成分とＳＣＨのレプリカとの相関をサブキャリア毎に１フレーム長にわたって同相加算する。そして、サブキャリア毎に同相加算された相関検出値をさらに周波数方向（すなわち、複数サブキャリア間）および時間方向（すなわち、複数フレーム間）に電力加算して平均相関値を算出する。そして、最大の平均相関値が得られるタイミングを検出し、フレームタイミングの候補とする。
【０００６】
（３）第３段階：スクランブリングコード同定
第２段階にて検出されたフレームタイミングにより、ＣＰＩＣＨの多重シンボル位置が分かる。そこで、ＣＰＩＣＨに乗算されうるスクランブリングコードの全候補とパイロット信号のレプリカを用いて相関演算を行う。そして、最大相関値が得られるスクランブリングコードを検出し、セル固有のスクランブリングコードであると同定する。
【０００７】
また、標準化団体３ＧＰＰでは、現在の第３世代携帯電話システムのさらなる改良を目的として、３ＧＰＰ ＲＡＮ ＬＴＥ(Long Term Evolution)の検討が進められている。具体的には、下りの無線伝送方式としては上記ＯＦＤＭ方式が検討されている（非特許文献３）。また、スループット要求条件を満たすためにＭＩＭＯ通信方式を導入することが検討されている（非特許文献４）。さらに、基地局装置のパイロット伝送については、シングルアンテナ用と、マルチアンテナ用が提案されている（非特許文献５）。  
【非特許文献１】花田，新，樋口，佐和橋，“ブロードバンドマルチキャリアCDMA伝送における周波数多重同期チャネルを用いた3段階セルサーチ特性，”RCS2001-91，2001年7月
【非特許文献２】花田，樋口，佐和橋，“ブロードバンド Multi-carrier CDMA伝送における3段階高速セルサーチ法およびその特性，”RCS2000-170，2000年11月
【非特許文献３】3GPP, R1-050673, Drafting group1, “Text proposal for FDD UL SC-FDMA, FDD DL OFDMA”
【非特許文献４】3GPP TR 25.913 v2.0.0 “Requirements for Evolved UTRA and UTRAN”
【非特許文献５】3GPP, R1-050464, NTT DoCoMo, “Physical Channel Structures for Evolved UTRA”
【発明の開示】
【発明が解決しようとする課題】
【０００８】
しかしながら、マルチキャリア通信とマルチアンテナ通信とを組み合わせる場合には、種々の問題を解決する必要がある。特に、マルチアンテナ通信とシングルアンテナ通信とが混在するシステムにおいてセルサーチを行う場合に、単に従来のフレームを基地局装置が送信だけでは移動局装置において基地局装置の使用している通信方式を判断することができない。そのため、移動局装置において基地局装置の通信方式に応じた適応的な処理（セルサーチ処理を含む）を行うことができない問題がある。
【０００９】
本発明の目的は、マルチキャリア通信を行う基地局装置および移動局装置であって、通信方式に応じたフレームを送信する基地局装置、および、このフレームにより基地局装置の通信方式を判断し通信方式に応じた適応的なセルサーチ処理を行う移動局装置を提供することである。
【課題を解決するための手段】
【００１０】
本発明の基地局装置は、マルチキャリア通信を行う基地局装置であって、複数のアンテナと、フレームを前記アンテナを介して送信する送信手段と、前記複数のアンテナのうち送信に使用するアンテナの数に応じて、配置される同期系列、および、同期系列が配置されるサブキャリアのうち少なくともいずれか一方が異なるフレームを形成するフレーム形成手段と、を具備する構成を採る。
【００１１】
本発明の移動局装置は、基地局装置から送信されたフレームを用いてセルサーチを行う移動局装置であって、前記基地局装置が使用するアンテナの数に応じて、配置される同期系列が異なるフレームを受信する受信手段と、受信した前記フレームと、前記同期系列の全候補とを順次掛け合わせて相関をとる相関手段と、前記相関手段にて得られた相関値に基づいて、フレームタイミングおよび前記基地局装置が使用するアンテナの数を検出する検出手段と、検出した前記フレームタイミングおよび前記アンテナの数に基づいて受信した前記フレームからパイロット信号を抽出し当該パイロット信号を用いて基地局スクランブリングコードを同定するスクランブリングコード同定手段と、を具備する構成を採る。
【発明の効果】
【００１２】
本発明によれば、マルチキャリア通信を行う基地局装置および移動局装置であって、通信方式に応じたフレームを送信する基地局装置、および、このフレームにより基地局装置の通信方式を判断し通信方式に応じた適応的なセルサーチ処理を行う移動局装置を提供することができる。
【発明を実施するための最良の形態】
【００１３】
以下、本発明の実施の形態について図面を参照して詳細に説明する。なお、実施の形態において、同一の構成要素には同一の符号を付し、その説明は重複するので省略する。
【００１４】
（実施の形態１）
図２に示すように実施の形態１の基地局装置１００は、符号化部１０５と、変調部１１０と、送信アンテナ数カウント部１１５と、同期用チャネル生成部１２０と、パイロット信号生成部１２５と、フレーム形成部１３０と、スクランブル部１４０と、スクランブリングコード生成部１４５と、送信部１５０とを有する。フレーム形成部１３０は、基地局装置１００が有するアンテナ数分のフレーム構成部１３５を有する。送信部１５０は、ＩＦＦＴ部１５５と、ＧＩ挿入部１６０と、無線送信部１６５とを有する。
【００１５】
この基地局装置１００は、少なくとも２つの通信方式に対応しており、本実施の形態においては、ＭＩＭＯ(ｏｒ  ＭＩＳＯ）とＳＩＳＯ（ｏｒ  ＳＩＭＯ）とに適用可能である。ここでは、説明を簡単にするために基地局装置１００が具備するアンテナ数を２本とし、ＭＩＭＯ通信を行うときには２本のアンテナを利用し、ＳＩＳＯ通信を行うときには一方のアンテナのみを利用するものとする。
【００１６】
符号化部１０５は、送信データを入力し、所定の符号化を施して、符号化後の信号を変調部１１０に出力する。
【００１７】
変調部１１０は、符号化後の信号を入力し、所定の一次変調（一般的には、ＱｏＳや無線チャネルの状態に応じた一次変調がかけられる）を施して、変調後の信号をフレーム形成部１３０に出力する。
【００１８】
送信アンテナ数カウント部１１５は、送信に使用するアンテナ数をカウントし、送信に使用するアンテナ数情報を同期用チャネル生成部１２０、パイロット信号生成部１２５、およびフレーム形成部１３０に出力する。使用アンテナ数情報は、基地局装置１００がＭＩＭＯ通信を行っている場合には２であり、ＳＩＳＯ通信を行っている場合には１となる。すなわち、使用アンテナ数情報は、基地局装置１００が行っている通信方式を表す「通信方式情報」として利用することができる。
【００１９】
同期用チャネル生成部１２０は、送信アンテナ数カウント部１１５から通信方式情報（ここでは、使用アンテナ数情報）を入力し、通信方式情報に応じた同期用チャネル（ＳＣＨ系列）を生成し、生成したＳＣＨ系列をフレーム形成部１３０に出力する。具体的には、本実施の形態では通信方式情報（アンテナを２本使用するＭＩＭＯ通信又はアンテナを
１本使用するＳＩＳＯ通信）に応じて２つの異なるＳＣＨ系列（ＳＣＨ１系列、ＳＣＨ２系列）を使い分けるので、同期用チャネル生成部１２０は、入力する通信方式情報がＭＩＭＯ通信であることを示すときにはＳＣＨ１系列をフレーム形成部１３０に出力し、入力する通信方式情報がＳＩＳＯ通信であることを示すときにはＳＣＨ２系列をフレーム形成部１３０に出力する。
【００２０】
パイロット信号生成部１２５は、送信アンテナ数カウント部１１５からの通信方式情報（ここでは、使用アンテナ数情報）を入力し、通信方式情報に応じた数（使用アンテナ数）のパイロット信号を出力する。具体的には、パイロット信号生成部１２５は、通信方式情報がＭＩＭＯ通信を示すときには、ＭＩＭＯ通信では１つのアンテナから１つのパイロット信号を送信する必要があるため、２つの異なるパイロット信号（ＣＰＩＣＨ１、ＣＰＩＣＨ２）をフレーム形成部１３０に出力し、通信方式情報がＳＩＳＯ通信を示すときには、１つのパイロット信号（ここでは、ＣＰＩＣＨ１）を出力する。ここで、ＭＩＭＯ通信のときに出力されるパイロット信号は、互いに直交するパタンを持っている。
【００２１】
フレーム形成部１３０は、変調部１１０から変調後の信号を、同期チャネル生成部１２０からＳＣＨ系列を、パイロット信号生成部１２５からＣＰＩＣＨを入力し、送信アンテナ数カウント部１１５からの通信方式情報に応じて、フレームを形成する。
【００２２】
実施の形態１においては、フレーム形成部１３０は、通信方式情報がＭＩＭＯを示すときには、ＳＣＨ１系列をフレーム内に挿入する。一方、通信方式情報がＳＩＳＯを示すときには、ＳＣＨ２系列をフレーム内に挿入する。つまり、通信方式（例えば、使用アンテナ数）に応じて、異なる信号パタンを持つ同期系列（ＳＣＨ系列）を挿入する。また、フレーム形成部１３０は、通信方式情報がＭＩＭＯを示すときには一方のアンテナから送信するフレームにはＣＩＰＣＨ１を挿入し他方のアンテナから送信するフレームにはＣＰＩＣＨ２を挿入する。一方、通信方式情報がＳＩＳＯを示すときにはＣＰＩＣＨ１を挿入したフレームを形成する。
【００２３】
すなわち、フレーム形成部１３０は、基地局装置１００の利用する通信方式がＭＩＭＯ通信であるときには、利用するアンテナ数に応じた数の、互いに異なるパイロット信号（ＣＰＩＣＨ）が挿入されるとともに共通のＳＣＨ１系列が挿入されたフレームを形成する。一方、基地局装置１００の利用する通信方式がＳＩＳＯ通信であるときには、１種類のパイロット信号（ここでは、ＣＰＩＣＨ１）が挿入されるとともにＳＣＨ１系列と異なる系列であるＳＣＨ２系列を挿入したフレームを形成する。
【００２４】
具体的には、図３に示すようにＭＩＭＯ通信方式であるときには、予め定められたサブキャリアにおいてフレームの先頭に合わせてＳＣＨ１系列を時間軸方向に配置したフレームが形成される（同図Ａ）。また、ＳＩＳＯ通信方式であるときには、ＭＩＭＯ通信方式のフレームにおけるサブキャリアと同じサブキャリアにおいてフレームの先頭に合わせてＳＣＨ２系列を時間軸方向に配置したフレームが形成される（同図Ｂ）。なお、ＭＩＭＯ通信方式の場合には、ＳＩＳＯ通信のフレームと同じ割合でＣＰＩＣＨを含んでいても、例えば２本のアンテナから２つのフレームが送信されるとフレーム内にＳＩＳＯ通信のフレームの２倍のＣＰＩＣＨが含まれているのと等価であるので、図３Ａのような表し方をしている。すなわち、図３Ａは２本のアンテナから送信されるＣＰＩＣＨを時間多重したフォーマットである。
【００２５】
そして、フレーム形成部１３０は、通信方式情報がＭＩＭＯ通信を示すときには、上述のように形成されたフレームの各々を異なるスクランブル部１４０（スクランブル部１４０−１、１４０−２）に出力する。また、通信方式情報がＳＩＳＯ通信を示すときには、上述のように形成されたフレームを一方のスクランブル部１４０（ここでは、スクランブ
ル部１４０−１）に出力する。
【００２６】
スクランブル部１４０は、フレーム形成部１３０からのフレームをスクランブルし、スクランブル後のフレームを送信部１５０に出力する。
【００２７】
送信部１５０においては、ＩＦＦＴ部１５５にてＩＦＦＴを施し、ＧＩ挿入部１６０にてガードインタバルを挿入し、無線送信部１６５にてアップコンバート等の無線処理を施したフレームがアンテナを介して送信される。
【００２８】
図４に示すように実施の形態１の移動局装置２００は、受信制御部２０５と、無線受信部２１０と、シンボルタイミング検出部２１５と、ＧＩ除去部２２０と、ＦＦＴ処理部２２５と、同期チャネル相関部２３０と、同期チャネル系列レプリカ生成部２３５と、送信方式／フレームタイミング検出部２４０と、スクランブリングコード同定部２４５と、スクランブリングコードレプリカ生成部２５０と、デスクランブリング部２５５と、復号部２６０と、ＣＲＣチェック部２６５とを有する。
【００２９】
受信制御部２０５は、移動局装置２００の状態、すなわち初期セルサーチモードの第何段階であるか又は通常受信モードであるかなどに応じて無線受信部２１０及びＦＦＴ処理部２２５からの出力信号の出力先に関して制御する。具体的には、無線受信部２１０及びＦＦＴ処理部２２５に対して出力先命令信号を出力して無線受信部２１０及びＦＦＴ処理部２２５からの出力信号の出力先を制御する。無線受信部２１０への出力先命令信号の内容としては、移動局装置２００の状態が初期セルサーチモードの第１段階である場合にはシンボルタイミング検出部２１５が出力先である旨の内容となり、第１段階以外である場合にはＧＩ除去部２２０が出力先である旨の内容となる。また、ＦＦＴ処理部２２５への出力先命令信号の内容としては、初期セルサーチモードの第２段階である場合には同期チャネル相関部２３０が出力先である旨の内容となり、初期セルサーチモードの第３段階である場合にはスクランブリングコード同定部２４５が出力先である旨の内容となる。また、通常受信モードである場合にはデスクランブリング部２５５が出力先である旨の内容となる。
【００３０】
無線受信部２１０は、アンテナを介して基地局装置１００からの信号を受信し、ダウンコンバートなどのＲＦ処理を行う。そして、無線受信部２１０は、上記受信制御部２０５からの出力先命令信号が示す出力先に対してＲＦ処理後の信号を出力する。
【００３１】
シンボルタイミング検出部２１５は、移動局装置２００が初期セルサーチモードの第１段階であるときに無線受信部２１０からＲＦ処理後の信号が入力される。シンボルタイミング検出部２１５は、ガードインタバル相関をとり、ＯＦＤＭシンボルにおけるガードインタバルの相関特性を利用して、ＯＦＤＭシンボルタイミングを検出する。このＯＦＤＭシンボルタイミングは、すなわちＦＦＴを施すためのＦＦＴウィンドウタイミングである。そして、シンボルタイミング検出部２１５は、検出したシンボルタイミングの結果をＧＩ除去部２２０に出力するとともに、シンボルタイミングを検出したこと、すなわちセルサーチの第１段階が終了したことを通知するための第１段階終了通知信号を受信制御部２０５に出力する。
【００３２】
ＧＩ除去部２２０は、シンボルタイミング検出部２１５からのＯＦＤＭシンボルタイミングに従って、ＲＦ処理後の受信信号からガードインタバルを除去し、ＦＦＴ処理部２２５に出力する。
【００３３】
ＦＦＴ処理部２２５は、ＧＩ除去部２２０からのガードインタバル除去後の受信信号を、ＯＦＤＭシンボル単位で入力し、この入力信号に対してＦＦＴ処理を施す。そして、Ｆ
ＦＴ処理部２２５は、受信制御部２０５からの出力先命令信号に応じた出力先にＦＦＴ処理後の信号を出力する。具体的には、ＦＦＴ処理部２２５は、現在の移動局装置２００の状態がセルサーチの第２段階である場合には、同期チャネル相関部２３０が出力先である旨の出力先命令信号が入力され、ＦＦＴ処理後の信号を同期チャネル相関部２３０に出力する。また、ＦＦＴ処理部２２５は、現在の移動局装置２００の状態がセルサーチの第３段階である場合には、スクランブリングコード同定部２４５が出力先である旨の出力先命令信号が入力され、ＦＦＴ処理後の信号をスクランブリングコード同定部２４５に出力する。また、ＦＦＴ処理部２２５は、受信制御部２０５より上記同期チャネル相関部２３０が出力先である出力先命令信号およびスクランブリングコード同定部２４５が出力先である旨の出力先命令信号以外の出力先命令信号を入力するときには、ＦＦＴ処理後の信号をデスクランブリング部２５５に出力する。
【００３４】
同期チャネル相関部２３０は、ＦＦＴ処理部２２５からＦＦＴ処理後の受信信号を入力し、ＳＣＨが多重されているサブキャリア信号をそれぞれ１フレーム長分抽出し、この抽出した信号と、同期チャネル系列レプリカ生成部２３５から入力される２つのＳＣＨ系列レプリカ（ＳＣＨ１系列レプリカ、ＳＣＨ２系列レプリカ）との時間方向の相関演算を行い、同相加算して相関値を求める。さらに、所定のサブキャリア毎に得た相関値をＳＣＨ１系列ごとあるいはＳＣＨ２系列ごとにサブキャリア間で相関値の電力合成を行い、各シンボルにおける相関値の電力合成結果を送信方式／フレームタイミング検出部２４０に出力する。以下、この電力合成結果を「ＳＣＨ１相関値」、「ＳＣＨ２相関値」と呼ぶことがある。
【００３５】
同期チャネル系列レプリカ生成部２３５は、システムによりあらかじめ決められているフレーム同期用チャネルのＳＣＨ系列を生成し、ＳＣＨ系列レプリカとして同期チャネル相関部２３０に出力する。実施の形態１においては、基地局装置１００から送信されてくるフレームには、２つの異なるＳＣＨ系列（ＳＣＨ１系列、ＳＣＨ２系列）が含まれている可能性があるため、同期チャネル系列レプリカ生成部２３５は、ＳＣＨ１系列、ＳＣＨ２系列を生成し、同期チャネル相関部２３０に出力する。
【００３６】
送信方式／フレームタイミング検出部２４０は、同期チャネル相関部２３０から１フレーム内の各シンボルタイミングについてのＳＣＨ１系列およびＳＣＨ２系列による相関値（電力合成後のもの）を入力し、入力した相関値の中で最大相関値が得られるタイミングと、ＳＣＨ系列の種別（すなわち、ＳＣＨ１系列であるか又はＳＣＨ２系列であるか）とを検出する。
【００３７】
検出した結果、ＳＣＨ１系列による相関値が最大相関値である場合には、送信方式／フレームタイミング検出部２４０は、基地局装置１００からフレームが送信されてきた送信方式がＭＩＭＯであると判定するとともに、その最大相関値が得られるタイミングをフレームタイミングと同定する。そして、送信方式情報および検出したフレームタイミング情報をスクランブリングコード同定部２４５と受信制御部２０５とに出力する。
【００３８】
一方検出した結果、ＳＣＨ２系列による相関値が最大相関値である場合には、送信方式／フレームタイミング検出部２４０は、基地局装置１００からフレームが送信されてきた送信方式がＳＩＳＯであると判定するとともに、その最大相関値が得られるタイミングをフレームタイミングと同定する。そして、送信方式情報および検出したフレームタイミング情報をスクランブリングコード同定部２４５と受信制御部２０５とに出力する。
【００３９】
スクランブリングコード同定部２４５は、ＦＦＴ処理部２２５から、フレームの先頭など予め決められている位置に配置されているＣＰＩＣＨ（共通パイロット信号）を入力する。また、送信方式／フレームタイミング検出部２４０より通信方式情報およびフレーム
タイミング情報が入力される。さらに、スクランブリングコードレプリカをスクランブリングコードレプリカ生成部２５０から入力する。
【００４０】
スクランブリングコード同定部２４５は、入力されるフレームタイミング情報に従ってＣＰＩＣＨのタイミングにて、スクランブリングコードレプリカの全候補と既知であるパイロット信号とを用いてレプリカ相関を取る。
【００４１】
ただし、通信方式情報がＭＩＭＯであることを示しているときには、送信側（基地局装置１００）では送信アンテナ数分のＣＰＩＣＨ(例えば、ＣＰＩＣＨ１、ＣＰＩＣＨ２)が直交多重されて送信されているので、スクランブリングコード同定部２４５は、送信アンテナ数分のＣＰＩＣＨに対して、スクランブリングコードレプリカの全候補と既知であるパイロット信号とによる相関を取る。そして、ＣＰＩＣＨが複数ある場合には、同一スクランブリングコードレプリカによる相関値を加算する。
【００４２】
そして、スクランブリングコード同定部２４５は、スクランブリングコードレプリカの全候補の相関値(ＭＩＭＯの場合は、加算済みのもの)を比較し、最大相関値に対応するスクランブリングコードをそのサーチしたセルのスクランブリングコードであると同定する。同定したスクランブリングコードは、デスクランブリング部２５５に出力される。
【００４３】
スクランブリングコードレプリカ生成部２５０は、全候補のスクランブリングコードレプリカを作成し、スクランブリングコード同定部２４５に出力する。
【００４４】
デスクランブリング部２５５は、ＦＦＴ処理部２２５から受信信号を入力する。また、デスクランブリング部２５５は、スクランブリングコード同定部２４５からスクランブリングコードを入力する。そして、デスクランブリング部２５５は、このスクランブリングコードを用いて受信信号のデスクランブリングを行い、デスクランブル後の信号を復号部２６０に出力する。
【００４５】
復号部２６０は、デスクランブル後の受信信号を入力し、適切な誤り訂正復号を行って誤り訂正復号結果をＣＲＣチェック部２６５に出力する。
【００４６】
ＣＲＣチェック部２６５は、復号部からの誤り訂正復号結果に対してＣＲＣエラーチェックを行い、エラーがない場合には、初期セルサーチを完了したと判定する。一方、エラーが存在する場合には、ＣＲＣチェック部２６５は、再度初期セルサーチを第１段階からやり直すべく、受信制御部２０５に対してＣＲＣエラーチェック結果を出力する。なお、このエラーが存在したときに出力されるＣＲＣエラーチェック結果を受け取ると、受信制御部２０５は、シンボルタイミング検出部２１５が出力先である旨の出力先命令信号を無線受信部２１０に出力することとなる。
【００４７】
次いで、移動局装置２００の動作について図５のフロー図を参照して説明する。
【００４８】
ステップＳＴ１００１において、移動局装置２００のシンボルタイミング検出部２１５が、ガードインタバル相関をとり、ＯＦＤＭシンボルにおけるガードインタバルの相関特性を利用して、ＯＦＤＭシンボルタイミングを検出する。これがセルサーチの第１段階である。
【００４９】
ステップＳＴ１００２において、同期チャネル相関部２３０は、受信信号からＳＣＨが多重されているサブキャリア信号をそれぞれ１フレーム長分抽出する。
【００５０】
ステップＳＴ１００３において、同期チャネル相関部２３０は、ステップＳＴ１００２
にて抽出した信号と、ＳＣＨ系列レプリカとの相関演算を行う。具体的には、実施の形態１において用いられる可能性のあるフレームは、送信側の基地局装置１００がＭＩＭＯ通信を行っているときの、所定のサブキャリアにＳＣＨ１系列がフレーム先頭に合わせて時間軸方向に配置された構成か、又は、送信側の基地局装置１００がＳＩＳＯ通信を行っているときの、所定のサブキャリアにＳＣＨ２系列がフレーム先頭に合わせて時間軸方向に配置された構成であるので、同期チャネル相関部２３０は、ステップＳＴ１００２にて抽出した信号と、２つのＳＣＨ系列レプリカ（ＳＣＨ１系列レプリカ、ＳＣＨ２系列レプリカ）の各々との時間方向の相関演算を１フレームの全シンボルに亘って行う。
【００５１】
ステップＳＴ１００４において、同期チャネル相関部２３０は、ステップＳＴ１００３にて所定のサブキャリア毎に得た相関値をＳＣＨ１系列ごとあるいはＳＣＨ２系列ごとにサブキャリア間で相関値の電力合成を行う。
【００５２】
ステップＳＴ１００５において、送信方式／フレームタイミング検出部２４０は、同期チャネル相関部２３０から１フレーム内の各シンボルタイミングについてのＳＣＨ１系列およびＳＣＨ２系列による相関値（電力合成後のもの）を入力し、入力した相関値の中で最大相関値が得られるタイミングと、ＳＣＨ系列の種別（すなわち、ＳＣＨ１系列であるか又はＳＣＨ２系列であるか）とを検出する。
【００５３】
ステップＳＴ１００６において、送信方式／フレームタイミング検出部２４０は、ステップＳＴ１００５にて検出した最大相関値が得られるタイミングをフレームタイミングとして同定する。
【００５４】
ステップＳＴ１００７において、送信方式／フレームタイミング検出部２４０は、ステップＳＴ１００５にて検出した、最大相関値が得られたＳＣＨ系列がＳＣＨ１系列であるか否かを判定、即ち送信側における送信方式を判定する。そして、判定結果を通信方式情報としてスクランブリングコード同定部２４５に出力する。
【００５５】
判定の結果、ＳＣＨ系列１による相関値が最大相関値である場合、すなわち送信方式／フレームタイミング検出部２４０から出力される通信方式情報がＭＩＭＯであることを示す場合（ステップＳＴ１００７：ＹＥＳ）には、スクランブリングコード同定部２４５は、基地局装置１００から送信されてくる複数のＣＰＩＣＨ（実施の形態１では、ＣＰＩＣＨ１およびＣＰＩＣＨ２）と、スクランブリングコードレプリカの全候補との相関演算を行う（ステップＳＴ１００８）。
【００５６】
ステップＳＴ１００９において、スクランブリングコード同定部２４５は、同一スクランブリングコードレプリカによる相関値をＣＰＩＣＨ間（ＣＰＩＣＨ１とＣＰＩＣＨ２との間）で加算する。このように、移動局装置２００においては、基地局装置１００にて使用される通信方式を特定することができた結果、シングルアンテナ通信に比べて多く送られてくるＣＰＩＣＨを適切に利用することができ、相関利得を稼ぐことができる。そのため、後述するスクランブリングコードの同定をより正確に行うことができるので、結果としてセルサーチの高速化を実現することができる。
【００５７】
判定の結果、ＳＣＨ２系列による相関値が最大相関値である場合、すなわち送信方式／フレームタイミング検出部２４０から出力される通信方式情報がＳＩＳＯであることを示す場合（ステップＳＴ１００７：ＮＯ）には、スクランブリングコード同定部２４５は、基地局装置１００から送信されてくるＣＰＩＣＨ（実施の形態１では、ＣＰＩＣＨ１）と、スクランブリングコードレプリカの全候補との相関演算を行う（ステップＳＴ１０１０）。
【００５８】
ステップＳＴ１０１１において、スクランブリングコード同定部２４５は、スクランブリングコードレプリカの全候補の相関値(ＭＩＭＯの場合は、加算済みのもの)を比較し、最大相関値に対応するスクランブリングコードをそのサーチしたセルのスクランブリングコードであると同定する。同定したスクランブリングコードは、デスクランブリング部２５５に出力される。そして、同定したスクランブリングコードを用いてデスクランブルを行い、誤り訂正復号、ＣＲＣチェックを行ってＣＲＣチェック結果に応じてベリフィケーション（検証）を行う。
【００５９】
なお、図２にはＯＦＣＤＭのフレームフォーマットを挙げているが、これに限定されるものではなく、図６に示すようなＯＦＤＭのフレームフォーマットでもよい。
【００６０】
またなお、図６ＡのＭＩＭＯセル用送信フォーマットでは、アンテナ#1とアンテナ#2の同一サブキャリアにＳＣＨ１系列をマッピングしているが、これはＳＣＨ１用のサブキャリアを規定しているだけで、ＳＣＨ１系列の送信方法については特に規定は設けない。一般的には、アンテナ#1からのみＳＣＨ１系列の送信を行ったり、ＴＴＩ毎あるいはフレーム毎に送信アンテナを切り替えるＴＳＴＤ(Time Switched Transmit Diversity)を用いたりする種々の送信方法を利用することができる。本発明では、送信アンテナ間のＳＣＨ系列の分配方法については特に規定はせずに、ＳＣＨ１系列を送信するサブキャリア位置さえ共通にしておけばよい。
【００６１】
また、上記説明においては、使用アンテナ情報を通信方式情報として利用し、ＭＩＭＯ通信かＭＩＭＯ通信以外の通信かで、配置するＳＣＨ系列を変えたフレームを利用したが、これに限定されるものではなく、ＭＩＭＯ通信を利用する場合でも使用するアンテナ数に応じて配置するＳＣＨ系列を変えたフレームを利用してもよい。要は、ＭＩＭＯ通信かＭＩＭＯ通信以外の通信か、さらにはＭＩＭＯ通信でも使用するアンテナが何本かなどの通信方式の違いがフレームにおけるＳＣＨ系列の種類により区別できればよい。
【００６２】
このように実施の形態１によれば、マルチキャリア通信を行う基地局装置１００に、複数のアンテナと、フレームを前記アンテナを介して送信する送信部１５０と、前記複数のアンテナのうち送信に使用するアンテナの数（使用アンテナ情報）に応じて、配置される同期系列（ＳＣＨ系列）が異なるフレームを形成するフレーム形成部１３０と、を設けた。
【００６３】
こうすることにより、フレームの受信側（移動局装置２００）において、その受信フレームにおけるＳＣＨ系列の種別を特定することにより、送信側において使用されているアンテナ数を特定することができる。その結果、基地局装置１００がＭＩＭＯ通信のように複数のアンテナから異なるパイロット信号を送信する通信方式を利用している場合、すなわち、ＳＩＳＯ通信などのような１つのアンテナのみを利用する通信方式に比べて送信するパイロット信号の数が多い通信方式を利用している場合、受信側でその通信方式を特定することができればセルサーチの第３段階において多くのパイロット信号を用いて基地局スクランブリングコードの同定を行うことができる。そのため、相関利得を稼ぐことができるので、より正確にスクランブリングコードの同定を行うことができるため、結果としてセルサーチの高速化を実現することができる。
【００６４】
また、実施の形態１によればマルチキャリア通信を行う基地局装置１００に、複数のアンテナと、フレームを前記アンテナを介してＭＩＭＯ通信又はＭＩＭＯ通信以外の通信方式で送信する送信部１５０と、前記通信方式に応じて、配置される同期系列が異なるフレームを形成するフレーム形成部１３０と、を設けた。
【００６５】
また、実施の形態１によれば、基地局装置１００から送信されたフレームを用いてセル
サーチを行う移動局装置２００に、基地局装置１００が使用するアンテナの数に応じて、配置される同期系列（ＳＣＨ系列）が異なるフレームを受信する無線受信部２１０と、受信した前記フレームと、前記同期系列の全候補（本実施の形態では、ＳＣＨ１系列およびＳＣＨ２系列）とを順次掛け合わせて相関をとる同期チャネル相関部２３０と、同期チャネル相関部２３０にて得られた相関値に基づいて、フレームタイミングおよび基地局装置１００が使用するアンテナの数を検出する送信方式／フレームタイミング検出部２４０と、検出した前記フレームタイミングおよび前記アンテナの数に基づいて受信した前記フレームからパイロット信号を抽出し当該パイロット信号を用いて基地局スクランブリングコードを同定するスクランブリングコード同定部２４５と、を設けた。
【００６６】
こうすることにより、受信フレームにおけるＳＣＨ系列の種別を特定することにより、送信側において使用されているアンテナ数を特定することができる。その結果、基地局装置１００がＭＩＭＯ通信のように複数のアンテナから異なるパイロット信号を送信する通信方式を利用している場合、すなわち、ＳＩＳＯ通信などのような１つのアンテナのみを利用する通信方式に比べて送信するパイロット信号の数が多い通信方式を利用している場合、受信側でその通信方式を特定することができればセルサーチの第３段階において多くのパイロット信号を用いて基地局スクランブリングコードの同定を行うことができる。そのため、相関利得を稼ぐことができるので、より正確にスクランブリングコードの同定を行うことができるため、結果としてセルサーチの高速化を実現することができる。
【００６７】
また、実施の形態１によれば、基地局装置１００から送信されたフレームを用いてセルサーチを行う移動局装置２００に、基地局装置１００が使用する通信方式、具体的には、ＭＩＭＯ通信又はＭＩＭＯ通信以外の通信方式に応じて、配置される同期系列（ＳＣＨ系列）が異なるフレームを受信する無線受信部２１０と、受信した前記フレームと、前記同期系列の全候補（本実施の形態では、ＳＣＨ１系列およびＳＣＨ２系列）とを順次掛け合わせて相関をとる同期チャネル相関部２３０と、同期チャネル相関部２３０にて得られた相関値に基づいて、フレームタイミングおよび基地局装置１００が使用する通信方式を検出する送信方式／フレームタイミング検出部２４０と、検出した前記フレームタイミングおよび前記通信方式に基づいて受信した前記フレームからパイロット信号を抽出し当該パイロット信号を用いて基地局スクランブリングコードを同定するスクランブリングコード同定部２４５と、を設けた。
【００６８】
（実施の形態２）
実施の形態１のフレームには、基地局装置１００の送信方式（例えば、ＭＩＭＯ通信方式、ＳＩＳＯ通信方式）に応じて、異なるＳＣＨ系列（例えば、ＳＣＨ１系列、ＳＣＨ２系列）が配置されていた。これに対して、実施の形態２においては、基地局装置が、自装置の送信方式に応じて、ＳＣＨ系列を配置するサブキャリアの組み合わせ（セット）を変えてフレームを構成する。つまり、通信方式が異なっても利用するＳＣＨ系列は同一であるが、配置するサブキャリアセットを通信方式に応じて変えることにより、フレームの受信側において受信フレーム内でＳＣＨ系列が配置されているサブキャリアセットを特定することで送信側の送信方式がわかるようになっている。
【００６９】
図７に示すように実施の形態２の基地局装置３００は、フレーム形成部３１０を有し、このフレーム形成部３１０は、自装置が具備するアンテナ数分のフレーム構成部３２０を有している。
【００７０】
フレーム形成部３１０は、変調部１１０から変調後の信号を、同期チャネル生成部１２０からＳＣＨ系列を、パイロット信号生成部１２５からＣＰＩＣＨを入力し、送信アンテナ数カウント部１１５からの通信方式情報に応じて、フレームを形成する。
【００７１】
実施の形態２においては、フレーム形成部３１０は、通信方式情報がＭＩＭＯを示すときには、ＳＣＨ２系列をサブキャリアの第１の組み合わせ（セット）に配置してフレーム内に挿入する。一方、通信方式情報がＳＩＳＯを示すときには、ＳＣＨ２系列をサブキャリアの第２の組み合わせ（セット）に配置してフレーム内に挿入する。また、フレーム形成部３１０は、通信方式情報がＭＩＭＯを示すときには一方のアンテナから送信するフレームにはＣＩＰＣＨ１を挿入し他方のアンテナから送信するフレームにはＣＰＩＣＨ２を挿入する。一方、通信方式情報がＳＩＳＯを示すときにはＣＰＩＣＨ１を挿入したフレームを形成する。
【００７２】
すなわち、フレーム形成部３１０は、基地局装置３００の利用する通信方式がＭＩＭＯ通信であるときには、使用するアンテナ数に応じた数の、互いに異なるパイロット信号（ＣＰＩＣＨ）が挿入されるとともにＳＣＨ２系列がサブキャリアの第１の組み合わせ（セット）に挿入されたフレームを形成する。一方、基地局装置３００の利用する通信方式がＳＩＳＯ通信であるときには、１種類のパイロット信号（ここでは、ＣＰＩＣＨ１）が挿入されるとともにＳＣＨ２系列をサブキャリアの第２の組み合わせ（セット）に挿入したフレームを形成する。
【００７３】
具体的には、図８に示すようにＭＩＭＯ通信方式であるときには、サブキャリアの第１の組み合わせ（セット）においてフレームの先頭に合わせてＳＣＨ２系列を時間軸方向に配置したフレームが形成される（同図Ａ）。また、ＳＩＳＯ通信方式であるときには、サブキャリアの第２の組み合わせ（セット）においてフレームの先頭に合わせてＳＣＨ２系列を時間軸方向に配置したフレームを形成する（同図Ｂ）。なお、同図においては、サブキャリアの第１の組み合わせ（セット）は、ｆ１、ｆ５、…、ｆ１３、…から構成され、サブキャリアの第２の組み合わせ（セット）は、ｆ２、ｆ６、…、ｆ１６、…から構成されている。また、ＭＩＭＯ通信方式の場合には、ＳＩＳＯ通信のフレームと同じ割合でＣＰＩＣＨを含んでいても、例えば２本のアンテナから２つのフレームが送信されるとフレーム内にＳＩＳＯ通信のフレームの２倍のＣＰＩＣＨが含まれているのと等価であるので、図８Ａのような表し方をしている。
【００７４】
そして、フレーム形成部３１０は、通信方式情報がＭＩＭＯ通信を示すときには、上述のように形成されたフレームの各々を異なるスクランブル部１４０（スクランブル部１４０−１、１４０−２）に出力する。また、通信方式情報がＳＩＳＯ通信を示すときには、上述のように形成されたフレームを一方のスクランブル部１４０（ここでは、スクランブル部１４０−１）に出力する。
【００７５】
図９に示すように実施の形態２の移動局装置４００は、同期チャネル相関部４１０と、送信方式／フレームタイミング検出部４２０とを有する。
【００７６】
同期チャネル相関部４１０は、ＦＦＴ処理部２２５からＦＦＴ処理後の受信信号を入力し、ＳＣＨが多重されているサブキャリア信号をそれぞれ１フレーム長分抽出し、この抽出した信号と、同期チャネル系列レプリカ生成部２３５から入力されるＳＣＨ系列レプリカ（ここでは、ＳＣＨ２系列レプリカ）との時間方向の相関演算を行い、同相加算して相関値を求める。さらに、サブキャリア毎に得た相関値を各サブキャリアセット毎に相関値の電力合成を行い、各シンボルにおける各サブキャリアセット（ここでは、サブキャリアセット１、サブキャリアセット２）毎の相関値の電力合成結果を送信方式／フレームタイミング検出部４２０に出力する。以下この電力合成結果を「サブキャリアセット１相関値」、「サブキャリアセット２相関値」と呼ぶことがある。
【００７７】
送信方式／フレームタイミング検出部４２０は、同期チャネル相関部４１０から１フレーム内の各シンボルタイミングについての各サブキャリアセット毎の相関値（電力合成後
のもの）を入力し、入力した相関値の中で最大相関値が得られるタイミングと、サブキャリアセットの種別（すなわち、サブキャリアセット１であるか又はサブキャリアセット２であるか）とを検出する。
【００７８】
検出した結果、サブキャリアセット１による相関値が最大相関値である場合には、送信方式／フレームタイミング検出部４２０は、基地局装置３００からフレームが送信されてきた送信方式がＭＩＭＯであると判定するとともに、その最大相関値が得られるタイミングをフレームタイミングと同定する。そして、送信方式情報および検出したフレームタイミング情報をスクランブリングコード同定部２４５と受信制御部２０５とに出力する。
【００７９】
一方検出した結果、サブキャリアセット２による相関値が最大相関値である場合には、送信方式／フレームタイミング検出部４２０は、基地局装置３００からフレームが送信されてきた送信方式がＳＩＳＯであると判定するとともに、その最大相関値が得られるタイミングをフレームタイミングと同定する。そして、送信方式情報および検出したフレームタイミング情報をスクランブリングコード同定部２４５と受信制御部２０５とに出力する。
【００８０】
次いで、移動局装置４００の動作について図１０のフロー図を参照して説明する。
【００８１】
ステップＳＴ２００１において、同期チャネル相関部４１０は、受信信号からＳＣＨが多重されているサブキャリア信号をそれぞれ１フレーム長分抽出する。すなわち、ここではサブキャリアセット１（ＭＩＭＯ用）およびサブキャリアセット２（非ＭＩＭＯ用、すなわちここではＳＩＳＯ用）に含まれる２セット分のサブキャリア信号を抽出する。
【００８２】
ステップＳＴ２００２において、同期チャネル相関部４１０は、ステップＳＴ２００１にて抽出した信号と、ＳＣＨ系列レプリカとの相関演算を行う。具体的には、実施の形態２において用いられる可能性のあるフレームは、送信側の基地局装置１００がＭＩＭＯ通信を行っているときの、サブキャリアセット１に含まれる各サブキャリアにＳＣＨ２系列がフレーム先頭に合わせて時間軸方向に配置された構成か、又は、送信側の基地局装置１００がＳＩＳＯ通信を行っているときの、サブキャリアセット２に含まれる各サブキャリアにＳＣＨ２系列がフレーム先頭に合わせて時間軸方向に配置された構成であるので、同期チャネル相関部４１０は、ステップＳＴ２００１にて抽出した信号と、ＳＣＨ系列レプリカ（ここでは、ＳＣＨ２系列レプリカ）との時間方向の相関演算を１フレームの全シンボルに亘って行う。
【００８３】
ステップＳＴ２００３において、同期チャネル相関部４１０は、ステップＳＴ２００２にて所定のサブキャリア毎に得た相関値をサブキャリアセット毎に相関値の電力合成を行う。
【００８４】
ステップＳＴ２００４において、送信方式／フレームタイミング検出部４２０は、同期チャネル相関部４１０から１フレーム内の各シンボルタイミングについての各サブキャリアセット毎の相関値（電力合成後のもの）を入力し、入力した相関値の中で最大相関値が得られるタイミングと、サブキャリアセットの種別（すなわち、サブキャリアセット１であるか又はサブキャリアセット２であるか）とを検出する。
【００８５】
ステップＳＴ２００５において、送信方式／フレームタイミング検出部４２０は、ステップＳＴ２００４にて検出した最大相関値が得られるタイミングをフレームタイミングとして同定する。
【００８６】
ステップＳＴ２００６において、送信方式／フレームタイミング検出部４２０は、ステ
ップＳＴ２００４にて検出した、最大相関値が得られたサブキャリアセットがサブキャリアセット１であるか否かを判定、即ち送信側における送信方式を判定する。そして、判定結果を通信方式情報としてスクランブリングコード同定部２４５に出力する。
【００８７】
判定の結果、サブキャリアセット１による相関値が最大相関値である場合、すなわち送信方式／フレームタイミング検出部４２０から出力される通信方式情報がＭＩＭＯであることを示す場合（ステップＳＴ２００６：ＹＥＳ）には、スクランブリングコード同定部２４５は、基地局装置１００から送信されてくる複数のＣＰＩＣＨ（実施の形態１では、ＣＰＩＣＨ１およびＣＰＩＣＨ２）と、スクランブリングコードレプリカの全候補との相関演算を行う（ステップＳＴ１００８）。
【００８８】
判定の結果、サブキャリアセット２による相関値が最大相関値である場合、すなわち送信方式／フレームタイミング検出部４２０から出力される通信方式情報がＳＩＳＯであることを示す場合（ステップＳＴ２００６：ＮＯ）には、スクランブリングコード同定部２４５は、基地局装置１００から送信されてくるＣＰＩＣＨ（実施の形態１では、ＣＰＩＣＨ１）と、スクランブリングコードレプリカの全候補との相関演算を行う（ステップＳＴ１０１０）。
【００８９】
なお、図８にはＯＦＣＤＭのフレームフォーマットを挙げているが、これに限定されるものではなく、図１１に示すようなＯＦＤＭのフレームフォーマットでもよい。
【００９０】
なお、図１１ＡのＭＩＭＯセル用送信フォーマットでは、アンテナ#1とアンテナ#2の同一サブキャリアにＳＣＨ１系列をマッピングしているが、これはＳＣＨ１用のサブキャリアを規定しているだけで、ＳＣＨ１系列の送信方法については特に規定は設けない。一般的には、アンテナ#1からのみＳＣＨ１系列の送信を行ったり、ＴＴＩ毎あるいはフレーム毎に送信アンテナを切り替えるＴＳＴＤ(Time Switched Transmit Diversity)を用いたりする種々の送信方法を利用することができる。本発明では、送信アンテナ間のＳＣＨ系列の分配方法については特に規定はせずに、ＳＣＨ１系列を送信するサブキャリア位置さえ共通にしておけばよい。
【００９１】
また、上記説明においては、使用アンテナ情報を通信方式情報として利用し、ＭＩＭＯ通信かＭＩＭＯ通信以外の通信かで、ＳＣＨ系列を配置するサブキャリアを変えたフレームを利用したが、これに限定されるものではなく、ＭＩＭＯ通信を利用する場合でも使用するアンテナ数に応じてＳＣＨ系列を配置するサブキャリアを変えたフレームを利用してもよい。要は、ＭＩＭＯ通信かＭＩＭＯ通信以外の通信か、さらにはＭＩＭＯ通信でも使用するアンテナが何本かなどの通信方式の違いがフレームにおけるＳＣＨ系列を配置するサブキャリアにより区別できればよい。
【００９２】
このように実施の形態２によれば、マルチキャリア通信を行う基地局装置３００に、複数のアンテナと、フレームを前記アンテナを介して送信する送信部１５０と、前記複数のアンテナのうち送信に使用するアンテナの数に応じて、同期系列（ＳＣＨ系列）が配置されるサブキャリアが異なるフレームを形成するフレーム形成部３１０と、を設けた。
【００９３】
こうすることにより、フレームの受信側（移動局装置４００）において、その受信フレームにおけるＳＣＨ系列が配置されているサブキャリアを特定することにより、送信側において使用されているアンテナ数を特定することができる。その結果、基地局装置３００がＭＩＭＯ通信のように複数のアンテナから異なるパイロット信号を送信する通信方式を利用している場合、すなわち、ＳＩＳＯ通信などのような１つのアンテナのみを利用する通信方式に比べて送信するパイロット信号の数が多い通信方式を利用している場合、受信側でその通信方式を特定することができればセルサーチの第３段階において多くのパイロ
ット信号を用いて基地局スクランブリングコードの同定を行うことができる。そのため、相関利得を稼ぐことができるので、より正確にスクランブリングコードの同定を行うことができるため、結果としてセルサーチの高速化を実現することができる。
【００９４】
また、実施の形態２によればマルチキャリア通信を行う基地局装置３００に、複数のアンテナと、フレームを前記アンテナを介してＭＩＭＯ通信又はＭＩＭＯ通信以外の通信方式で送信する送信部１５０と、前記通信方式に応じて、同期系列（ＳＣＨ系列）が配置されるサブキャリアが異なるフレームを形成するフレーム形成部３１０と、を設けた。
【００９５】
また、実施の形態２によれば、基地局装置３００から送信されたフレームを用いてセルサーチを行う移動局装置４００に、基地局装置３００が使用するアンテナの数に応じて、同期系列（ＳＣＨ系列）の配置されるサブキャリアが異なるフレームを受信する無線受信部２１０と、受信した前記フレームの前記同期系列が配置されているサブキャリアの信号と、前記同期系列とを順次掛け合わせて相関をとる同期チャネル相関部４１０と、同期チャネル相関部４１０にて得られた相関値に基づいて、フレームタイミングおよび基地局装置３００が使用するアンテナの数を検出する送信方式／フレームタイミング検出部４２０と、検出した前記フレームタイミングおよび前記アンテナの数に基づいて受信した前記フレームからパイロット信号を抽出し当該パイロット信号を用いて基地局スクランブリングコードを同定するスクランブリングコード同定部２４５と、を設けた。
【００９６】
こうすることにより、受信フレームにおけるＳＣＨ系列が配置されているサブキャリアを特定することにより、送信側において使用されているアンテナ数を特定することができる。その結果、基地局装置３００がＭＩＭＯ通信のように複数のアンテナから異なるパイロット信号を送信する通信方式を利用している場合、すなわち、ＳＩＳＯ通信などのような１つのアンテナのみを利用する通信方式に比べて送信するパイロット信号の数が多い通信方式を利用している場合、受信側でその通信方式を特定することができればセルサーチの第３段階において多くのパイロット信号を用いて基地局スクランブリングコードの同定を行うことができる。そのため、相関利得を稼ぐことができるので、より正確にスクランブリングコードの同定を行うことができるため、結果としてセルサーチの高速化を実現することができる。
【００９７】
また、実施の形態２によれば、基地局装置３００から送信されたフレームを用いてセルサーチを行う移動局装置４００に、基地局装置３００が使用する通信方式、具体的には、ＭＩＭＯ通信又はＭＩＭＯ通信以外の通信方式に応じて、同期系列（ＳＣＨ系列）の配置されるサブキャリアが異なるフレームを受信する無線受信部２１０と、受信した前記フレームの前記同期系列が配置されているサブキャリアの信号と、前記同期系列とを順次掛け合わせて相関をとる同期チャネル相関部４１０と、同期チャネル相関部４１０にて得られた相関値に基づいて、フレームタイミングおよび基地局装置３００が使用する通信方式を検出する送信方式／フレームタイミング検出部４２０と、検出した前記フレームタイミングおよび通信方式に基づいて受信した前記フレームからパイロット信号を抽出し当該パイロット信号を用いて基地局スクランブリングコードを同定するスクランブリングコード同定部２４５と、を設けた。
【００９８】
（実施の形態３）
実施の形態１のフレームには、基地局装置１００の送信方式（例えば、ＭＩＭＯ通信方式、ＳＩＳＯ通信方式）に応じて、異なるＳＣＨ系列（例えば、ＳＣＨ１系列、ＳＣＨ２系列）が配置されていた。これに対して、実施の形態３においては、実施の形態１と同様に、送信方式（例えば、ＭＩＭＯ通信方式、ＳＩＳＯ通信方式）に応じて、異なるＳＣＨ系列（例えば、ＳＣＨ１系列、ＳＣＨ２系列）を配置するとともに、ＳＣＨ系列を配置するサブキャリアの組み合わせ（セット）に関しても通信方式に応じて変更してフレームを
構成する。つまり、通信方式に応じて、配置するＳＣＨ系列の種別および配置するサブキャリアセットを変えることにより、フレームの受信側において受信フレーム内に配置されているＳＣＨ系列の種別およびサブキャリアセットを特定することで送信側の送信方式がわかるようになっている。
【００９９】
図１２に示すように実施の形態３の基地局装置５００は、フレーム形成部５１０を有し、このフレーム形成部５１０は、自装置が具備するアンテナ数分のフレーム構成部５２０を有している。
【０１００】
実施の形態３においては、フレーム形成部５１０は、通信方式情報がＭＩＭＯを示すときには、ＳＣＨ１系列をサブキャリアの第１の組み合わせ（セット）に配置してフレーム内に挿入する。一方、通信方式情報がＳＩＳＯを示すときには、ＳＣＨ２系列をサブキャリアの第２の組み合わせ（セット）に配置してフレーム内に挿入する。また、フレーム形成部５１０は、通信方式情報がＭＩＭＯを示すときには一方のアンテナから送信するフレームにはＣＰＩＣＨ１を挿入し他方のアンテナから送信するフレームにはＣＰＩＣＨ２を挿入する。一方、通信方式情報がＳＩＳＯを示すときにはＣＰＩＣＨ１を挿入したフレームを形成する。
【０１０１】
すなわち、フレーム形成部５１０は、基地局装置５００の利用する通信方式がＭＩＭＯ通信であるときには、利用するアンテナ数に応じた数の、互いに異なるパイロット信号（ＣＰＩＣＨ）が挿入されるとともにＳＣＨ１系列がサブキャリアの第１の組み合わせ（セット）に挿入されたフレームを形成する。一方、基地局装置５００の利用する通信方式がＳＩＳＯ通信であるときには、１種類のパイロット信号（ここでは、ＣＰＩＣＨ１）が挿入されるとともにＳＣＨ２系列をサブキャリアの第２の組み合わせ（セット）に挿入したフレームを形成する。
【０１０２】
具体的には、図１３に示すようにＭＩＭＯ通信方式であるときには、サブキャリアの第１の組み合わせ（セット）においてフレームの先頭に合わせてＳＣＨ１系列を時間軸方向に配置したフレームが形成される（同図Ａ）。また、ＳＩＳＯ通信方式であるときには、サブキャリアの第２の組み合わせ（セット）においてフレームの先頭に合わせてＳＣＨ２系列を時間軸方向に配置したフレームを形成する（同図Ｂ）。なお、同図においては、サブキャリアの第１の組み合わせ（セット）は、ｆ１、ｆ５、…、ｆ１３、…から構成され、サブキャリアの第２の組み合わせ（セット）は、ｆ２、ｆ６、…、ｆ１６、…から構成されている。また、ＭＩＭＯ通信方式の場合には、ＳＩＳＯ通信のフレームと同じ割合でＣＰＩＣＨを含んでいても、例えば２本のアンテナから２つのフレームが送信されるとフレーム内にＳＩＳＯ通信のフレームの２倍のＣＰＩＣＨが含まれているのと等価であるので、図１３Ａのような表し方をしている。
【０１０３】
そして、フレーム形成部５１０は、通信方式情報がＭＩＭＯ通信を示すときには、上述のように形成されたフレームの各々を異なるスクランブル部１４０（スクランブル部１４０−１、１４０−２）に出力する。また、通信方式情報がＳＩＳＯ通信を示すときには、上述のように形成されたフレームを一方のスクランブル部１４０（ここでは、スクランブル部１４０−１）に出力する。
【０１０４】
図１４に示すように実施の形態３の移動局装置６００は、同期チャネル相関部６１０と、送信方式／フレームタイミング検出部６２０とを有する。
【０１０５】
同期チャネル相関部６１０は、ＦＦＴ処理部２２５からＦＦＴ処理後の受信信号を入力し、ＳＣＨが多重されているサブキャリア信号をそれぞれ１フレーム長分抽出する。そして、同期チャネル相関部６１０は、各サブキャリアセットに含まれるサブキャリア信号の
各々と、ＳＣＨ系列レプリカの全候補（ここでは、ＳＣＨ１系列レプリカ、ＳＣＨ２系列レプリカ）との時間方向の相関演算を行い、同相加算して相関値を求める。具体的には、サブキャリアセット１に含まれるサブキャリア信号と、ＳＣＨ１系列およびＳＣＨ２系列の各々と相関演算を行い、サブキャリアセット２に含まれるサブキャリア信号と、ＳＣＨ１系列およびＳＣＨ２系列の各々と相関演算を行う。
【０１０６】
そして、同期チャネル相関部６１０は、各サブキャリアセットおよびＳＣＨ系列毎に相関値の電力合成を行い、各シンボルにおける各サブキャリアセット（ここでは、サブキャリアセット１、サブキャリアセット２）およびＳＣＨ系列毎の相関値の電力合成結果を送信方式／フレームタイミング検出部６２０に出力する。
【０１０７】
送信方式／フレームタイミング検出部６２０は、同期チャネル相関部６１０から１フレーム内の各シンボルタイミングについての各サブキャリアセットおよびＳＣＨ系列毎の相関値（電力合成後のもの）を入力し、入力した相関値の中で最大相関値が得られるタイミングと、サブキャリアセットの種別（すなわち、サブキャリアセット１であるか又はサブキャリアセット２であるか）およびＳＣＨ系列の種別（すなわち、ＳＣＨ１系列であるか又はＳＣＨ２系列であるか）とを検出する。
【０１０８】
検出した結果、ＳＣＨ１系列とサブキャリアセット１とによる相関値が最大相関値である場合には、送信方式／フレームタイミング検出部６２０は、基地局装置５００からフレームが送信されてきた送信方式がＭＩＭＯであると判定するとともに、その最大相関値が得られるタイミングをフレームタイミングと同定する。そして、送信方式情報および検出したフレームタイミング情報をスクランブリングコード同定部２４５と受信制御部２０５とに出力する。
【０１０９】
また、検出した結果、ＳＣＨ２系列とサブキャリアセット２とによる相関値が最大相関値である場合には、送信方式／フレームタイミング検出部６２０は、基地局装置５００からフレームが送信されてきた送信方式がＳＩＳＯであると判定するとともに、その最大相関値が得られるタイミングをフレームタイミングと同定する。そして、送信方式情報および検出したフレームタイミング情報をスクランブリングコード同定部２４５と受信制御部２０５とに出力する。
【０１１０】
また、ＳＣＨ１系列とサブキャリアセット２とによる相関値又はＳＣＨ２系列とサブキャリアセット１とによる相関値が最大相関値である場合には、本実施の形態の基地局装置５００からそのような組み合わせのフレームは送信されてこないので、送信方式／フレームタイミング検出部６２０は、この時点でセルサーチに失敗したと判定しセルサーチのリトライに入るように制御を行う。具体的には、受信制御部２０５に対してリトライ命令信号を出力する。
【０１１１】
次いで、移動局装置６００の動作について図１５のフロー図を参照して説明する。
【０１１２】
同期チャネル相関部６１０は、実施の形態２の同期チャネル相関部４１０と同様にステップＳＴ２００１にて２セット分のサブキャリア信号を抽出する。
【０１１３】
ステップＳＴ３００１において、同期チャネル相関部６１０は、ステップＳＴ２００１にて抽出した、各サブキャリアセットに含まれるサブキャリア信号の各々と、ＳＣＨ系列レプリカの全候補（ここでは、ＳＣＨ１系列レプリカ、ＳＣＨ２系列レプリカ）との時間方向の相関演算を行い、同相加算して相関値を求める。具体的には、サブキャリアセット１に含まれるサブキャリア信号と、ＳＣＨ１系列およびＳＣＨ２系列の各々と相関演算を行い、サブキャリアセット２に含まれるサブキャリア信号と、ＳＣＨ１系列およびＳＣＨ
２系列の各々との時間方向の相関演算を１フレームの全シンボルに亘って行う。
【０１１４】
ステップＳＴ３００２において、同期チャネル相関部６１０は、ステップＳＴ３００１にて得た相関値を各サブキャリアセットおよびＳＣＨ系列毎に電力合成する。そして、各シンボルにおける各サブキャリアセット（ここでは、サブキャリアセット１、サブキャリアセット２）およびＳＣＨ系列毎の相関値の電力合成結果を送信方式／フレームタイミング検出部６２０に出力する。
【０１１５】
ステップＳＴ３００３において、送信方式／フレームタイミング検出部６２０は、同期チャネル相関部６１０から１フレーム内の各シンボルタイミングについての各サブキャリアセットおよびＳＣＨ系列毎の相関値（電力合成後のもの）を入力し、入力した相関値の中で最大相関値が得られるタイミングと、サブキャリアセットの種別（すなわち、サブキャリアセット１であるか又はサブキャリアセット２であるか）およびＳＣＨ系列の種別（すなわち、ＳＣＨ１系列であるか又はＳＣＨ２系列であるか）とを検出する。
【０１１６】
ステップＳＴ３００４において、送信方式／フレームタイミング検出部６２０は、ステップＳＴ３００３にて検出したサブキャリアセットがサブキャリアセット１であるかを判定する。
【０１１７】
判定の結果、サブキャリアセット１である場合（ステップＳＴ３００４：ＹＥＳ）には、送信方式／フレームタイミング検出部６２０は、ステップＳＴ３００３にて検出したＳＣＨ系列がＳＣＨ１系列であるか否かを判定する（ステップＳＴ３００５）。
【０１１８】
判定の結果、ＳＣＨ１系列である場合（ステップＳＴ３００５：ＹＥＳ）には、送信方式／フレームタイミング検出部６２０は、基地局装置５００からフレームが送信されてきた送信方式がＭＩＭＯであると判定するとともに、ステップＳＴ３００３にて検出した最大相関値が得られるタイミングをフレームタイミングと同定する（ステップＳＴ３００６）。そして、送信方式情報および検出したフレームタイミング情報をスクランブリングコード同定部２４５と受信制御部２０５とに出力する。
【０１１９】
判定の結果、ＳＣＨ１系列でない場合（ステップＳＴ３００５：ＮＯ）には、基地局装置５００からそのような組み合わせのフレームは送信されてこないので、送信方式／フレームタイミング検出部６２０はこの時点でセルサーチに失敗したと判定し、ステップＳＴ１００１に戻る。
【０１２０】
ステップＳＴ３００４における判定の結果、サブキャリアセット１でない場合（ステップＳＴ３００４：ＮＯ）には、送信方式／フレームタイミング検出部６２０は、ステップＳＴ３００３にて検出したＳＣＨ系列がＳＣＨ２系列であるか否かを判定する（ステップＳＴ３００７）。
【０１２１】
判定の結果、ＳＣＨ２系列である場合（ステップＳＴ３００７：ＹＥＳ）には、送信方式／フレームタイミング検出部６２０は、基地局装置５００からフレームが送信されてきた送信方式がＳＩＳＯであると判定するとともに、ステップＳＴ３００３にて検出した最大相関値が得られるタイミングをフレームタイミングと同定する（ステップＳＴ３００８）。そして、送信方式情報および検出したフレームタイミング情報をスクランブリングコード同定部２４５と受信制御部２０５とに出力する。
【０１２２】
判定の結果、ＳＣＨ２系列でない場合（ステップＳＴ３００７：ＮＯ）には、基地局装置５００からそのような組み合わせのフレームは送信されてこないので、送信方式／フレームタイミング検出部６２０はこの時点でセルサーチに失敗したと判定し、ステップＳＴ
１００１に戻る。
【０１２３】
なお、図１３にはＯＦＣＤＭのフレームフォーマットを挙げているが、これに限定されるものではなく、図１６に示すようなＯＦＤＭのフレームフォーマットでもよい。
【０１２４】
このように実施の形態３によれば、マルチキャリア通信を行う基地局装置５００に、複数のアンテナと、フレームを前記アンテナを介して送信する送信部１５０と、前記複数のアンテナのうち送信に使用するアンテナの数に応じて、配置される同期系列および同期系列が配置されるサブキャリアが異なるフレームを形成するフレーム形成部５１０と、を設けた。
【０１２５】
こうすることにより、フレームの受信側（移動局装置６００）において、その受信フレームにおけるＳＣＨ系列の種別および同期系列が配置されるサブキャリアを特定することにより、送信側において使用されているアンテナ数を特定することができる。その結果、基地局装置５００がＭＩＭＯ通信のように複数のアンテナから異なるパイロット信号を送信する通信方式を利用している場合、すなわち、ＳＩＳＯ通信などのような１つのアンテナのみを利用する通信方式に比べて送信するパイロット信号の数が多い通信方式を利用している場合、受信側でその通信方式を特定することができればセルサーチの第３段階において多くのパイロット信号を用いて基地局スクランブリングコードの同定を行うことができる。そのため、相関利得を稼ぐことができるので、より正確にスクランブリングコードの同定を行うことができるため、結果としてセルサーチの高速化を実現することができる。
【０１２６】
また、実施の形態３によればマルチキャリア通信を行う基地局装置５００に、複数のアンテナと、フレームを前記アンテナを介してＭＩＭＯ通信又はＭＩＭＯ通信以外の通信方式で送信する送信部１５０と、前記通信方式に応じて、配置される同期系列および同期系列が配置されるサブキャリアが異なるフレームを形成するフレーム形成部５１０と、を設けた。
【０１２７】
また、実施の形態３によれば、基地局装置５００から送信されたフレームを用いてセルサーチを行う移動局装置６００に、基地局装置５００が使用するアンテナの数に応じて、配置される同期系列（ＳＣＨ系列）および当該同期系列が配置されるサブキャリアが異なるフレームを受信する無線受信部２１０と、受信した前記フレームの前記同期系列が配置されているサブキャリアの信号と、前記同期系列の全候補とを順次掛け合わせて相関をとる同期チャネル相関部６１０と、同期チャネル相関部６１０にて得られた相関値に基づいて、フレームタイミングおよび基地局装置５００が使用するアンテナの数を検出する送信方式／フレームタイミング検出部６２０と、検出した前記フレームタイミングおよび前記アンテナの数に基づいて受信した前記フレームからパイロット信号を抽出し当該パイロット信号を用いて基地局スクランブリングコードを同定するスクランブリングコード同定部２４５と、を設けた。
【０１２８】
こうすることにより、受信フレームにおけるＳＣＨ系列の種別および同期系列が配置されるサブキャリアを特定することにより、送信側において使用されているアンテナ数を特定することができる。その結果、基地局装置５００がＭＩＭＯ通信のように複数のアンテナから異なるパイロット信号を送信する通信方式を利用している場合、すなわち、ＳＩＳＯ通信などのような１つのアンテナのみを利用する通信方式に比べて送信するパイロット信号の数が多い通信方式を利用している場合、受信側でその通信方式を特定することができればセルサーチの第３段階において多くのパイロット信号を用いて基地局スクランブリングコードの同定を行うことができる。そのため、相関利得を稼ぐことができるので、より正確にスクランブリングコードの同定を行うことができるため、結果としてセルサーチ
の高速化を実現することができる。
【０１２９】
また、実施の形態３によれば、基地局装置５００から送信されたフレームを用いてセルサーチを行う移動局装置６００に、基地局装置５００が使用する通信方式、具体的には、ＭＩＭＯ通信又はＭＩＭＯ通信以外の通信方式に応じて、配置される同期系列（ＳＣＨ系列）および当該同期系列が配置されるサブキャリアが異なるフレームを受信する無線受信部２１０と、受信した前記フレームの前記同期系列が配置されているサブキャリアの信号と、前記同期系列の全候補とを順次掛け合わせて相関をとる同期チャネル相関部６１０と、同期チャネル相関部６１０にて得られた相関値に基づいて、フレームタイミングおよび基地局装置５００が使用する通信方式を検出する送信方式／フレームタイミング検出部６２０と、検出した前記フレームタイミングおよび前記通信方式に基づいて受信した前記フレームからパイロット信号を抽出し当該パイロット信号を用いて基地局スクランブリングコードを同定するスクランブリングコード同定部２４５と、を設けた。
【０１３０】
また、移動局装置６００に、前記同期系列が配置されるサブキャリアと前記同期系列との対応関係を記憶する記憶部（図示せず）を設け、送信方式／フレームタイミング検出部６２０は、同期チャネル相関部６１０にて得られた相関値が最大となる、前記サブキャリアと前記同期系列との組み合わせが前記対応関係を満たさないときにはセルサーチのリトライ命令信号を出力する。
【０１３１】
（実施の形態４）
実施の形態１および実施の形態３においては、異なる複数のＳＣＨ系列を用いて通信方式或いは使用アンテナ数を示す情報をフレームに付加した。そして、利用するＳＣＨ系列には全く関連性がないことを前提に説明を行った。これに対して、実施の形態４においては、相互にある規則性を持った、異なるＳＣＨ系列を利用する。具体的には、ＳＣＨ系列のチップ列のうち一部の位相を変えた、互いに異なるＳＣＨ系列を利用する。具体例として、このＳＣＨ系列を利用する形態を実施の形態１に適用した場合について説明する。
【０１３２】
実施の形態１と同様に、フレーム形成部１３０は、通信方式情報（例えば、使用アンテナ数情報）に応じて、異なるＳＣＨ系列（ここでは、ＳＣＨ１系列、ＳＣＨ２系列）をフレーム内に挿入する。本実施の形態においては、ＳＣＨ系列のチップ列のうち一部の位相を変えた、互いに異なるＳＣＨ系列を利用する。
【０１３３】
具体的には、図１７に示すようにＳＣＨ１系列としては、所定の系列（同図においては、Ｃ１，０  、…  、Ｃ１，Ｎａ／２  ：これをベーシックＳＣＨ系列と呼ぶ）そのものをそのまま繰り返したものを利用する。一方、ＳＣＨ２系列としては、前半部分にはＳＣＨ１系列と同じ上記所定の系列を利用し後半部分には当該所定の系列の位相を変えた系列を利用する。ここでは、後半部分に加えられる位相は、１８０度としている。ただし、使用アンテナ数を区別する場合にはさらに加える位相の状態を多く用意し、例えば、使用アンテナ数が２の場合には４５度、使用アンテナ数が３の場合は９０度などのように、ＳＣＨ系列の位相状態を用いて使用アンテナ数情報をフレームに付加することが可能である。
【０１３４】
同期チャネル相関部２３０は、１つのベーシックＳＣＨ系列でチップ同士の複素乗算を行い、チップ間で同相加算する際に、上記位相状態のすべての候補から加えられた位相を逆に戻して同相加算する。こうすることにより、相関演算のための複素乗算回数は、ＳＣＨ系列が１パタンのみの場合と同数であり、同相加算時に全利用アンテナ数パタン(送信アンテナ数が2本の場合、送信アンテナ数パタンは、１又は２のみ)分だけ加算を行えばよい。従って、相関演算の主要部分である複素乗算が１回で済み、ＳＣＨ系列が１パタンの場合に比べても演算量はほとんど増えることなく、ＭＩＭＯ通信かＭＩＭＯ通信以外の通信かの判定、あるいは、利用アンテナ数の判定を行うことができる。
【０１３５】
そして同期チャネル相関部２３０は、得られた相関値とそのときの位相情報を送信方式／フレームタイミング検出部２４０に出力する。
【０１３６】
送信方式／フレームタイミング検出部２４０は、最大相関値が得られる位相情報を検出し、この位相情報に対応する送信方式情報（例えば、使用アンテナ数情報）をスクランブリングコード同定部２４５に出力する。
【０１３７】
スクランブリングコード同定部２４５は、送信方式情報（例えば、使用アンテナ数情報）に対応するＣＰＩＣＨ受信を行ってスクランブリング同定を行う。
【０１３８】
なお、図１７では、生成する同期系列の後半部に、ＭＩＭＯ通信又はＭＩＭＯ通信以外の通信を示す位相情報を載せているが、これを前半部で行っても良い。また簡単のために後半系列は前半系列に対して位相情報を乗算しているが、これに限定するものではなく、同一のベーシックＳＣＨ系列の後半部分に位相情報を乗算するか否かでＭＩＭＯ通信又はＭＩＭＯ通信以外の通信を表現しても良い。
【０１３９】
また、上述のとおり、ＭＩＭＯ通信かＭＩＭＯ通信以外の通信かを表すだけでなく、例えば、送信アンテナ数そのものを位相情報として変換し、表現しても良い。例えば、送信アンテナ数の候補が１本、２本、３本、４本(つまり、ＣＰＩＣＨが１、２、３、４つあることと等価)の４種類の場合、後半に乗算する位相情報はそれぞれ０、π／２、π、３π／２に対応させれば良い。要は、位相情報によりＣＰＩＣＨの数がわかる仕組みになっていれば良い。
【０１４０】
実施の形態４によれば、基地局装置（１００、５００）に、複数のアンテナと、フレームを前記アンテナを介して送信する送信部１５０と、前記複数のアンテナのうち送信に使用するアンテナの数に応じて、配置される同期系列が異なるフレームを形成するフレーム形成部（１３０、５１０）と、を設け、フレーム形成部（１３０、５１０）は、前記配置される同期系列が前記使用するアンテナの数に応じて異なる場合には、前記同期系列の含むチップ列の一部の位相が前記アンテナの数に応じて異なるフレームを形成する。
【０１４１】
こうすることにより、同期系列の候補が増えても、受信側における演算処理量の増加を抑えて、利用アンテナ数を特定することができる。
【０１４２】
また、基地局装置（１００、５００）に、複数のアンテナと、フレームを前記アンテナを介して送信する送信部１５０と、基地局装置（１００、５００）が使用する通信方式、具体的には、ＭＩＭＯ通信又はＭＩＭＯ通信以外の通信方式に応じて、配置される同期系列が異なるフレームを形成するフレーム形成部（１３０、５１０）と、を設け、フレーム形成部（１３０、５１０）は、前記配置される同期系列が前記使用する通信方式に応じて異なる場合には、前記同期系列の含むチップ列の一部の位相が通信方式に応じて異なるフレームを形成する。
【産業上の利用可能性】
【０１４３】
本発明の基地局装置および移動局装置は、マルチキャリア通信を行う基地局装置および移動局装置であって、通信方式に応じたフレームを送信する基地局装置、および、このフレームにより基地局装置の通信方式を判断し通信方式に応じた適応的なセルサーチ処理を行う移動局装置として有用である。 
【図面の簡単な説明】
【０１４４】
【図１】従来のフレームの構成を示す図
【図２】本発明の実施の形態１に係る基地局装置の構成を示すブロック図
【図３】実施の形態１のフレーム構成を示す図
【図４】実施の形態１の移動局装置の構成を示すブロック図
【図５】図４の移動局装置の動作の説明に供するフロー図
【図６】実施の形態１の他のフレーム構成を示す図
【図７】実施の形態２に係る基地局装置の構成を示すブロック図
【図８】実施の形態２のフレーム構成を示す図
【図９】実施の形態２に係る移動局装置の構成を示すブロック図
【図１０】図９の移動局装置の動作の説明に供するフロー図
【図１１】実施の形態２の他のフレーム構成を示す図
【図１２】実施の形態３に係る基地局装置の構成を示すブロック図
【図１３】実施の形態３のフレーム構成を示す図
【図１４】実施の形態３に係る移動局装置の構成を示すブロック図
【図１５】図１４の移動局装置の動作の説明に供するフロー図
【図１６】実施の形態３の他のフレーム構成を示す図
【図１７】実施の形態４の同期系列の構成を示す図
【図１】
0004744525.tif 000002
【図２】
0004744525.tif 000003
【図３】
0004744525.tif 000004
【図４】
0004744525.tif 000005
【図５】
0004744525.tif 000006
【図６】
0004744525.tif 000007
【図７】
0004744525.tif 000008
【図８】
0004744525.tif 000009
【図９】
0004744525.tif 000010
【図１０】
0004744525.tif 000011
【図１１】
0004744525.tif 000012
【図１２】
0004744525.tif 000013
【図１３】
0004744525.tif 000014
【図１４】
0004744525.tif 000015
【図１５】
0004744525.tif 000016
【図１６】
0004744525.tif 000017
【図１７】
0004744525.tif 000018